(57)【特許請求の範囲】
【請求項１】
一対の基板間に、複数色の電気泳動粒子を含んだ電気泳動素子を挟持し、複数の画素からなる表示部を有する電気泳動表示装置の駆動方法であって、
前記表示部の画像を消去する画像消去ステップにおいて、
同一の色に対応する階調で表示された複数の画素からなり、前記表示部を横断する帯状の消去領域を形成し、
前記消去領域を、前記消去領域の幅方向に移動させて前記表示部を走査し、前記消去領域が通過した後の前記画素を前記消去領域とは異なる同一の色に対応する階調で表示させることを特徴とする電気泳動表示装置の駆動方法。
【請求項２】
請求項１に記載の電気泳動表示装置の駆動方法であって、
前記表示部に、互いに交差して延びる複数の走査線と複数のデータ線とが形成され、前記走査線と前記データ線との交差部に対応して前記画素が形成されており、
前記消去領域は、前記走査線の延在方向において前記表示部を横断する領域であることを特徴とする電気泳動表示装置の駆動方法。
【請求項３】
請求項２に記載の電気泳動表示装置の駆動方法であって、
前記消去領域は、前記データ線の延在方向において複数の前記画素に相当する幅を有していることを特徴とする電気泳動表示装置の駆動方法。
【請求項４】
請求項２又は請求項３に記載の電気泳動表示装置の駆動方法であって、
前記データ線の延在方向において所定の間隔で配列された複数の前記消去領域を走査させることを特徴とする電気泳動表示装置の駆動方法。
【請求項５】
請求項１から請求項４の何れか１項に記載の電気泳動表示装置の駆動方法であって、
前記消去領域を、複数回走査させることを特徴とする電気泳動表示装置の駆動方法。
【請求項６】
請求項２から請求項５の何れか１項に記載の電気泳動表示装置の駆動方法であって、
前記走査線には、前記走査線を選択する走査線駆動装置が接続されており、
前記走査線駆動装置は、第１のシフトレジスタ回路と、第２のシフトレジスタ回路と、前記第１のシフトレジスタ回路及び前記第２のシフトレジスタ回路の出力のＯＲをとるＯＲ回路とを有し、
前記画像消去ステップの期間に、すべての前記データ線には、第１の電位と第２の電位とを繰り返すパルスを入力し、
前記第１のシフトレジスタ回路による第１の走査線選択期間では、前記データ線に第１の電位を入力し、前記第２のシフトレジスタ回路による第２の走査線選択期間では、前記データ線に第２の電位を入力することを特徴とする電気泳動表示装置の駆動方法。
【請求項７】
一対の基板間に、複数色の電気泳動粒子を含んだ電気泳動素子を挟持し、複数の画素からなる表示部を有する電気泳動表示装置であって、
前記表示部の画像を消去する画像消去動作において、同一の色に対応する階調で表示された複数の画素からなり、前記表示部を横断する帯状の消去領域を前記消去領域の幅方向に移動して前記表示部を走査し、前記消去領域が通過した後の前記画素を前記消去領域とは異なる同一の色に対応する階調で表示させることを特徴とする電気泳動表示装置。
【請求項８】
請求項７に記載の電気泳動表示装置であって、
前記表示部に、互いに交差して延びる複数の走査線と複数のデータ線とが形成され、前記走査線と前記データ線との交差部に対応して前記画素が形成されており、
前記消去領域は、前記走査線の延在方向において前記表示部を横断する領域であることを特徴とする電気泳動表示装置。
【請求項９】
請求項８に記載の電気泳動表示装置であって、
前記消去領域は、前記データ線の延在方向において複数の前記画素に相当する幅を有していることを特徴とする電気泳動表示装置。
【請求項１０】
請求項８又は請求項９に記載の電気泳動表示装置であって、
前記データ線の延在方向において所定の間隔で配列された複数の前記消去領域を走査させることを特徴とする電気泳動表示装置。
【請求項１１】
請求項７から請求項１０の何れか１項に記載の電気泳動表示装置であって、
前記消去領域を、複数回走査させることを特徴とする電気泳動表示装置。
【請求項１２】
請求項８から請求項１１の何れか１項に記載の電気泳動表示装置であって、
前記走査線には、前記走査線を選択する走査線駆動装置が接続されており、
前記走査線駆動装置は、第１のシフトレジスタ回路と、第２のシフトレジスタ回路と、前記第１のシフトレジスタ回路及び前記第２のシフトレジスタ回路の出力のＯＲをとるＯＲ回路とを有することを特徴とする電気泳動表示装置。
【請求項１３】
請求項１２に記載の電気泳動表示装置であって、
前記画像消去動作の期間に、すべての前記データ線には、第１の電位と第２の電位とを繰り返すパルスが入力されており、
前記第１のシフトレジスタ回路による第１の走査線選択期間では、前記データ線に第１の電位が入力され、前記第２のシフトレジスタ回路による第２の走査線選択期間では、前記データ線に第２の電位が入力されていることを特徴とする電気泳動表示装置。
【請求項１４】
請求項７から請求項１３の何れか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関する。
【背景技術】
【０００２】
アクティブマトリクス方式により駆動される電気泳動表示装置では、画素ごとに駆動用スイッチング素子とメモリ回路が配置された回路構成が公知である。（例えば、特許文献１を参照）
【０００３】
このような構成を備えた電気泳動表示装置においては、画像を書き換えるときに、表示部を白表示することで画像を消去した後、所望の位置に黒色を書き込むことで画像を表示する駆動方法が一般的であった。
【特許文献１】特開２００２−１４９１１５号公報
【発明の開示】
【発明が解決しようとする課題】
【０００４】
ところが、このような駆動方法で画像を消去すると残像が残ってしまうという問題があった。図１９は、従来の電気泳動表示装置における残像の発生を説明する図である。図１９（ａ）では、黒表示された画像１２００が表示部１０３０に表示されている。画像１２００の消去は、表示部１０３０全体を白表示させることで行われるが、１回白表示を行っただけでは、画像を完全に消去できず残像１３００が残ってしまっていた。（図１９（ｂ））
【０００５】
これは、画像を形成する黒色粒子の一部が、表示面側の電極に固着してしまうためであり、電気泳動表示装置固有の課題であった。
このような残像をなくすためには、白表示と黒表示とを繰り返して、電気泳動素子内の白色粒子、黒色粒子を十分に撹拌することが必要であった。
【０００６】
しかし、白表示と黒表示とを繰り返しながら画像を消去すると、画面が点滅して見えるフラッシングが発生してしまう。このようなフラッシングは、使用者に対して視覚的なストレスを与えてしまい、電子ペーパーの普及を妨げている一因となっていた。
【０００７】
本発明は、上記の問題点に鑑みなされたものであって、画像の消去におけるフラッシング及び残像を低減することができる電気泳動表示装置の駆動方法、電気泳動表示装置、及び電子機器を提供することを目的の１つとする。
【課題を解決するための手段】
【０００８】
本発明に係る電気泳動表示装置の駆動方法、電気泳動表示装置、及び電子機器は、以下の特徴を備えている。
一対の基板間に、複数色の電気泳動粒子を含んだ電気泳動素子を挟持し、複数の画素からなる表示部を有する電気泳動表示装置の駆動方法であって、前記表示部の画像を消去する画像消去ステップにおいて、同一の色に対応する階調で表示された複数の画素からなり、前記表示部を横断する帯状の消去領域を形成し、前記消去領域を、前記消去領域の幅方向に移動させて前記表示部を走査し、前記消去領域が通過した後の前記画素を前記消去領域とは異なる同一の色に対応する階調で表示させることを特徴とする電気泳動表示装置の駆動方法。
一対の基板間に、複数色の電気泳動粒子を含んだ電気泳動素子を挟持し、複数の画素からなる表示部を有する電気泳動表示装置であって、前記表示部の画像を消去する画像消去動作において、同一の色に対応する階調で表示された複数の画素からなり、前記表示部を横断する帯状の消去領域を前記消去領域の幅方向に移動して前記表示部を走査し、前記消去領域が通過した後の前記画素を前記消去領域とは異なる同一の色に対応する階調で表示させることを特徴とする電気泳動表示装置。
【０００９】
一対の基板間に電気泳動粒子を含んだ電気泳動素子を挟持し、複数の画素からなる表示部を有する電気泳動表示装置の駆動方法であって、前記表示部の画像を消去する画像消去ステップにおいて、同一の階調が表示された複数の画素からなり、前記表示部を横断する帯状の消去領域を形成し、前記消去領域を、前記消去領域の幅方向に移動させて前記表示部を走査することを特徴とする。
これにより、前記表示部の全体を点滅させることなく、前記電気泳動粒子を撹拌することができるので、フラッシングを起こさずに残像を残さない消去を行う電気泳動表示装置の駆動方法とすることができる。
【００１０】
前記表示部に、互いに交差して延びる複数の走査線と複数のデータ線とが形成され、前記走査線と前記データ線との交差部に対応して前記画素が形成されており、前記消去領域は、前記走査線の延在方向において前記表示部を横断する領域であることが好ましい。
これにより、前記走査線を順に選択することで、前記表示領域を容易に走査させることができるので、フラッシングを起こさずに残像を残さない消去を容易に行う電気泳動表示装置の駆動方法とすることができる。
【００１１】
前記消去領域は、前記データ線方向において複数の前記画素に相当する幅を有していることが好ましい。
これにより、１つの前記走査線において前記消去領域が通過する時間を延ばすことができるので、前記電気泳動粒子を確実に撹拌できる電気泳動表示装置の駆動方法とすることができる。
【００１２】
前記データ線方向において所定の間隔で配列された複数の前記消去領域を走査させることが好ましい。
これにより、前記電気泳動粒子を撹拌する回数を増やすことができるので、残像を残さない消去を行う電気泳動表示装置の駆動方法とすることができる。
【００１３】
前記消去領域を、複数回走査させることが好ましい。
これにより、前記表示部に形成される前記消去領域が少ない場合でも、前記電気泳動粒子を撹拌する回数を増やすことができるので、残像を残さない消去を行う電気泳動表示装置の駆動方法とすることができる。
【００１４】
前記走査線には、前記走査線を選択する走査線駆動装置が接続されており、前記走査線駆動装置は、第１のシフトレジスタ回路と、第２のシフトレジスタ回路と、前記第１のシフトレジスタ回路及び前記第２のシフトレジスタ回路の出力のＯＲをとるＯＲ回路とを有し、前記画像消去ステップの期間に、すべての前記データ線には、第１の電位と第２の電位とを繰り返すパルスを入力し、前記第１のシフトレジスタ回路による第１の走査線選択期間では、前記データ線に第１の電位を入力し、前記第２のシフトレジスタ回路による第２の走査線選択期間では、前記データ線に第２の電位を入力することが好ましい。
これにより、前記第１の走査線選択期間と前記第２の走査線選択期間とで異なる電位を前記画素に入力することができるので、前記消去領域を走査させることができる。これにより、フラッシングを起こさずに残像を残さない消去を行う電気泳動表示装置の駆動方法とすることができる。また、ほぼ１フレームで前記消去領域を走査できるので、高速消去を行うことができる。
【００１５】
一対の基板間に電気泳動粒子を含んだ電気泳動素子を挟持し、複数の画素からなる表示部を有する電気泳動表示装置であって、前記表示部の画像を消去する画像消去動作において、同一の階調が表示された複数の画素からなり、前記表示部を横断する帯状の消去領域を前記消去領域の幅方向に移動して前記表示部を走査することを特徴とする。
これにより、前記表示部の全体を点滅させることなく、前記電気泳動粒子を撹拌することができるので、フラッシングを起こさずに残像を残さない消去を行う電気泳動表示装置を提供することができる。
【００１６】
前記表示部に、互いに交差して延びる複数の走査線と複数のデータ線とが形成され、前記走査線と前記データ線との交差部に対応して前記画素が形成されており、前記消去領域は、前記走査線の延在方向において前記表示部を横断する領域であることが好ましい。
これにより、前記走査線を順に選択することで、前記表示領域を容易に走査させることができるので、フラッシングを起こさずに残像を残さない消去を容易に行う電気泳動表示装置を提供することができる。
【００１７】
前記消去領域は、前記データ線方向において複数の前記画素に相当する幅を有していることが好ましい。
これにより、１つの前記走査線において前記消去領域が通過する時間を延ばすことができるので、前記電気泳動粒子を確実に撹拌できる電気泳動表示装置を提供することができる。
【００１８】
前記データ線方向において所定の間隔で配列された複数の前記消去領域を走査させることが好ましい。
これにより、前記電気泳動粒子を撹拌する回数を増やすことができるので、残像を残さない消去を行う電気泳動表示装置を提供することができる。
【００１９】
前記消去領域を、複数回走査させることが好ましい。
これにより、前記表示部に形成される前記消去領域が少ない場合でも、前記電気泳動粒子を撹拌する回数を増やすことができるので、残像を残さない消去を行う電気泳動表示装置を提供することができる。
【００２０】
前記走査線には、前記走査線を選択する走査線駆動装置が接続されており、前記走査線駆動装置は、第１のシフトレジスタ回路と、第２のシフトレジスタ回路と、前記第１のシフトレジスタ回路及び前記第２のシフトレジスタ回路の出力のＯＲをとるＯＲ回路とを有することが好ましい。
これにより、前記第１のシフトレジスタ回路、及び前記第２のシフトレジスタ回路を個別に駆動させることができるので、複数の前記走査線を独立に選択することができる電気泳動表示装置を提供することができる。
【００２１】
前記画像消去動作の期間に、すべての前記データ線には、第１の電位と第２の電位とを繰り返すパルスが入力されており、前記第１のシフトレジスタ回路による第１の走査線選択期間では、前記データ線に第１の電位が入力され、前記第２のシフトレジスタ回路による第２の走査線選択期間では、前記データ線に第２の電位が入力されていることが好ましい。
これにより、前記第１の走査線選択期間と前記第２の走査線選択期間とで異なる電位を前記画素に入力することができるので、前記消去領域を走査させることができる。これにより、フラッシングを起こさずに残像を残さない消去を行う電気泳動表示装置を提供することができる。
【００２２】
本発明の電子機器は、前記電気泳動表示装置を備えていることを特徴とする。
これにより、前記表示部の全体を点滅させることなく、前記電気泳動粒子を撹拌することができるので、フラッシングを起こさずに残像を残さない消去を行う電子機器を提供することができる。
【発明を実施するための最良の形態】
【００２３】
以下に、図面を用いて本発明における電気泳動表示装置について説明する。なお、本実施形態では、アクティブマトリクス駆動方式の電気泳動表示装置について説明する。
【００２４】
また、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２５】
図１は本発明の実施形態に係る電気泳動表示装置１の概略を示す平面図である。電気泳動表示装置１は、表示部３０と、走査線駆動回路（走査線駆動装置）６０と、データ線駆動回路７０とを備えている。
表示部３０には、画素２０が、データ線駆動回路７０の延在方向に沿ってｍ個、走査線駆動回路６０の延在方向にｎ個のマトリクス状に配置されている。走査線駆動回路６０と画素２０とが、データ線駆動回路７０の延在方向に沿って延びた複数の走査線４０（Ｙ１、Ｙ２、…、Ｙｍ）を介して接続されている。データ線駆動回路７０と画素２０とが、表示部３０を走査線駆動回路６０の延在方向に沿って延びる複数のデータ線５０（Ｘ１、Ｘ２、…、Ｘｎ）を介して画素２０に接続されている。
【００２６】
走査線駆動回路６０は、第１のシフトレジスタ回路６１、第２のシフトレジスタ回路６２、ＯＲ回路６３、レベルシフタ６４と、出力バッファ６５とを備えている。
第１のシフトレジスタ回路６１は、各走査線４０に対応して複数のフリップフロップ回路６１ａを備えている。また、すべてのフリップフロップ回路６１ａは直列に接続されている。
第２のシフトレジスタ回路６２も同様に、各走査線４０に対応して複数のフリップフロップ回路６２ａを備えている。また、すべてのフリップフロップ回路６２ａは直列に接続されている。
ＯＲ回路６３は、各走査線４０に対応して設けられている。ＯＲ回路６３の入力端子はフリップフロップ回路６１ａ、６２ａの出力端子とそれぞれ接続されている。ＯＲ回路６３の出力端子はレベルシフタ６４と、出力バッファ６５とを介して、対応する走査線４０と接続されている。
【００２７】
走査線駆動回路６０では、第１のシフトレジスタ回路６１にクロックパルスを入力させた状態でスタートパルスを入力する。入力されたスタートパルスは、クロックパルスの立ち上がり（低電位から高電位への移行）、及び立ち下り（高電位から低電位への移行）に同期してフリップフロップ回路６１ａを順に移動する。
スタートパルスが入力されたフリップフロップ回路６１ａからは、第１の選択信号が出力される。したがって、第１の選択信号は、Ｙ１からＹｍまで順にＯＲ回路６３を介して走査線４０に入力される。
【００２８】
第２のシフトレジスタ回路６２も、第１のシフトレジスタ回路６１と同様の動作を行う回路である。入力されたスタートパルスは、クロックパルスの立ち上がり（低電位から高電位への移行）、及び立ち下り（高電位から低電位への移行）に同期してフリップフロップ６２回路ａを順に移動する。
スタートパルスが入力されたフリップフロップ回路６２ａからは、第２の選択信号が出力される。したがって、第２の選択信号は、Ｙ１からＹｍまで順にＯＲ回路６３を介して走査線４０に入力される。
また、第１のシフトレジスタ回路６１及び第２のシフトレジスタ回路６２には、それぞれタイミングが異なるクロックパルスを入力して独立に駆動させることができる。この場合には、ＯＲ回路６３を介してそれぞれの選択信号が走査線４０に入力される。したがって、シフトレジスタ回路６１、６２により複数の走査線４０を独立に選択することができる。
【００２９】
レベルシフタ６４は、選択信号の電位を変える回路である。これは、画素２０では第１のシフトレジスタ回路６１、及び第２のシフトレジスタ回路６２を駆動する電位よりも、高電位を必要とするためである。
次に、高電位に変えられた第１、第２の選択信号は、出力バッファ６５により電流増幅される。そして、電流増幅された第１、第２の選択信号がデータ線５０に供給される。仮に、第１、第２の選択信号の電流が少ないと走査線駆動回路６０から離れた位置の画素２０に供給する電流が不足して、この画素２０に所望の電位が与えられないからである。
【００３０】
データ線駆動回路７０は、シフトレジスタ回路７１と、第１のラッチ回路７２と、第２のラッチ回路７３と、全選択回路７４と、レベルシフタ７５と、出力バッファ７６とを備えている。
全選択回路７４は、データ線５０ごとに配置されており、インバータ回路７４ａと、ＮＯＲ回路７４ｂ、７４ｃとを備えている。
各ＮＯＲ回路７４ｂの入力端子の一方には、第２のラッチ回路７３からのデータ信号線ＤＩＮ（ＤＩＮ１、ＤＩＮ２、…、ＤＩＮｎ）がそれぞれ接続されている。他方の端子には、すべての全選択回路７４に共通の全選択信号線ＳＨが接続されている。インバータ回路７４ａの入力端子には、すべての全選択回路７４に共通の全選択信号線ＳＬが接続されている。インバータ回路７４ａの出力端子、及びＮＯＲ回路７４ｂの出力端子はＮＯＲ回路７３ｃの入力端子にそれぞれ接続されている。
【００３１】
図２は、全選択回路７４の真理値を示す図である。図２における「０」及び「１」は、各信号線に入力される「低電位」及び「高電位」に対応している。図２によると、全選択信号線ＳＨに低電位が入力され、全選択信号線ＳＬに高電位が入力されている場合には、全選択回路７４からは、データ信号線ＤＩＮから入力された画像データが出力される（ＯＵＴ）。
【００３２】
また、全選択信号線ＳＨ、及び全選択信号線ＳＬに高電位が入力されている場合には、データ信号線ＤＩＮから入力される画像データに関わらず、全選択回路７４から高電位が出力される（ＯＵＴ）。
さらに、全選択信号線ＳＬに低電位が入力されている場合には、データ信号線ＤＩＮから入力される画像データ、及び全選択信号線ＳＨの電位に関わらず、全選択回路７４から低電位が出力される。
【００３３】
したがって、例えば、全選択信号線ＳＨの電位を高電位に固定し、全選択信号線ＳＬに高電位と低電位とを繰り返すパルスを入力すると、すべての全選択回路７４から同じタイミングで高電位と低電位とを繰り返すパルスが出力される。
【００３４】
データ線駆動回路７０では、シフトレジスタ回路７１にクロックパルスが入力された状態で、スタートパルスを入力する。スタートパルスが入力されると、シフトレジスタ回路７１からは、データ線５０のＸ１からＸｎに向かう順で第１のラッチ回路７２に信号が送られる。第１のラッチ回路７２は、データ線５０ごとに画像データを保持する記憶装置（図示は省略）を備えており、画像データが取り込まれる。画像データの取り込みが完了すると、画像データは第２のラッチ回路７３へ一斉に送られる。第２のラッチ回路７３においても、データ線５０ごとに記憶装置（図示は省略）を備えており、第１のラッチ回路７２から送られた画像データが保持される。
【００３５】
第２のラッチ回路７３に送られた画像データは、全選択回路７４に入力される。全選択回路７４における動作は、図２で説明したとおりである。
【００３６】
全選択回路７４から出力された信号は、レベルシフタ７５で電位を変えられ、さらに出力バッファ７６で電流が増幅されたあと、データ線５０に入力される。データ線５０に入力された信号は、前述の走査線駆動回路６０により選択された走査線４０の画素２０に入力される。
【００３７】
なお、画像データが第２のラッチ回路７３に供給されると、その次の走査線４０の画素２０に入力する画像データが第１のラッチ回路７２に取り込まれる。これにより、データ線５０に連続して画像データを入力できるようになっている。
【００３８】
図３は、画素２０の回路構成を示す図である。
画素２０は、スイッチング素子２４と、容量２５と、画素電極（電極）２１と、共通電極（電極）２２と、電気泳動素子２３とを備えている。
【００３９】
スイッチング素子２４は、電界効果型のｎチャネルトランジスタであり、ゲート部２４ａには走査線４０が接続されている。端子２４ｂにはデータ線５０が接続されており、端子２４ｂと反対側の端子２４ｃには容量２５及び画素電極２１が接続されている。電気泳動素子２３は、画素電極２１と共通電極２２とで挟持されている。
【００４０】
スイッチング素子２４は、ゲート部２４ａに入力された信号に基づいて駆動されると、端子２４ｂと端子２４ｃとが導通されるようになっている。
容量２５はスイッチング素子２４が駆動されたときに充電されるので、スイッチング素子２４が停止した後も一定期間電位を保持し、画素電極２１に電位を与えることができる。
【００４１】
また、本実施形態では、画素の回路構成として、容量２５に代えてラッチ回路を採用することができる。図４は、ラッチ回路１２５を備えた画素１２０の回路構成図である。以下、画素１２０の回路構成について説明する。
【００４２】
ラッチ回路１２５は、ｐチャネルトランジスタ１５４とｎチャネルトランジスタ１５３とで形成されるインバータ回路と、ｐチャネルトランジスタ１５２とｎチャネルトランジスタ１５１とで形成されるインバータ回路とを組み合わせて構成されている。
ラッチ回路１２５は、入力端Ｎ１と出力端Ｎ２を有していて、入力端Ｎ１でｐチャネルトランジスタ１５４とｎチャネルトランジスタ１５３とが接続され、出力端Ｎ２でｐチャネルトランジスタ１５２とｎチャネルトランジスタ１５１とが接続されている。
ｐチャネルトランジスタ１５４、及びｎチャネルトランジスタ１５３のゲート部は、出力端Ｎ２及び画素電極２１に接続され、ｐチャネルトランジスタ１５２、及びｎチャネルトランジスタ１５１のゲート部は、入力端Ｎ１及びスイッチング素子２４に接続されている。
ｐチャネルトランジスタ１５２、１５４は高電位電源線１５８に接続され、ｎチャネルトランジスタ１５１、１５３は低電位電源線１５７に接続されている。
【００４３】
このような構成を有するラッチ回路１２５は、ＳＲＡＭ（Static Random Access Memory）であり、画像データとして入力端Ｎ１に高電位が入力された場合には出力端Ｎ２に低電位が現れ、画像データとして入力端Ｎ１に低電位が入力された場合には出力端Ｎ２に高電位が現れる。また、ラッチ回路１２５に入力された画像データは、ラッチ回路１２５の電源がオフになるまで保持されるので、画素電極２１に安定した電位を入力することができる。
【００４４】
図５は表示部３０の部分断面図である。表示部３０は画素電極２１を備えた第１の基板２８、及び共通電極２２を備えた第２の基板２９で、電気泳動素子２３を挟持する構成を備えている。電気泳動素子２３は、複数のマイクロカプセル８０を備えている。
【００４５】
第１の基板２８上には画素電極２１が形成され、画素電極２１はそれぞれの画素２０ごとに矩形に形成されている。第１の基板２８は、ガラスやプラスティックなどの材料を成形したものである。図示は省略しているが、第１の基板２８における電気泳動素子２３と対向する面には、画素電極２１に加えて、図１及び図３の走査線４０、データ線５０、スイッチング素子２４、容量２５、スイッチ回路３５などが形成されている。
【００４６】
第２の基板２９は画像が表示される側であり、例えばガラス等の透光性を有する材質成形したものである。対向基板２９上には共通電極２２が形成されている。共通電極２２には透光性と導電性とを備えた材質が用いられ、例えばＭｇＡｇ（マグネシウム銀）、ＩＴＯ（インジウム・スズ酸化物）、ＩＺＯ（インジウム・亜鉛酸化物）を挙げることができる。
【００４７】
図６は、マイクロカプセル８０の構成図である。マイクロカプセル８０は、例えば５０μｍ程度の粒径を有する。マイクロカプセル８０の材質としては、ポリメタクリル酸メチル、ポリメタクリル酸エチルなどのアクリル樹脂、ユリア樹脂、アラビアゴムなどの透光性を持つ高分子樹脂を採用することができる。マイクロカプセル８０は、図３の共通電極２２及び画素電極２１とで挟持されており、一つの画素内に複数のマイクロカプセル８０が配置されている。
【００４８】
マイクロカプセル８０の内部には、分散媒８１と、複数の白色粒子（電気泳動粒子）８２と、複数の黒色粒子（電気泳動粒子）８３とを含んでいる。
【００４９】
分散媒８１は、白色粒子８２と黒色粒子８３とをマイクロカプセル８０内に分散させた液体である。分散媒８１の材質としては、例えば水、メタノール、エタノール、イソプロパノール、ブタノール、オクタノール、メチルセルソルブなどのアルコール系溶媒、酢酸エチル、酢酸ブチルなどのエステル類、アセトン、メチルエチルケトン、メチルイソブチルケトンなどのケトン類、ぺンタン、ヘキサン、オクタンなどの脂肪族炭化水素、シクロへキサン、メチルシクロへキサンなどの脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタン等のハロゲン化炭化水素、カルボン酸塩又はその他の種々の油類などの単独又はこれらの混合物に界面活性剤等を配合したものを採用することができる。
【００５０】
白色粒子８２は、例えば、二酸化チタン、亜鉛華、三酸化アンチモン等の白色顔料からなる粒子（高分子あるいはコロイド）であり、例えば負に帯電されている。
黒色粒子８３は、例えば、アニリンブラック、カーボンブラック等の黒色顔料からなる粒子（高分子あるいはコロイド）であり、例えば正に帯電されている。
【００５１】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００５２】
図７は、マイクロカプセル８０の動作を説明した図であり、（ａ）図は画素２０を白表示する場合、及び（ｂ）図は画素２０を黒表示する場合を示している。
まず図７（ａ）に示すように、共通電極２２に画素電極２１より高電位を印加すると、負に帯電した白色粒子８２が共通電極２２に引き寄せられ、正に帯電した黒色粒子８３が画素電極２１に引き寄せられる。したがって、この画素２０は白表示される。
【００５３】
一方、図７（ｂ）に示すように、画素電極２１に共通電極２２より高電位を印加すると、正に帯電した黒色粒子８３が共通電極２２に引き寄せられ、負に帯電した白色粒子８２が画素電極２１に引き寄せられる。したがって、この画素２０は黒表示される。
【００５４】
なお、白色粒子８２、黒色粒子８３に用いる顔料を、例えば赤色、緑色、青色などの顔料に代えることで、表示部３０に赤色、緑色、青色などを表示することができる。
【００５５】
本発明の電気泳動表示装置１では、フラッシングを起こさずに残像のない消去を行うことができる。以下、画像消去動作に係る駆動方法について詳しく説明する。
【００５６】
［第１の駆動方法］
図８は、第１の駆動方法に係る画像消去動作を示す図である。図９は、第１の駆動方法に係るタイミングチャートを示す図である。
第１の駆動方法は、走査線延在方向に延び、複数の画素２０に相当する幅を持った１つの消去領域をデータ線延在方向に１列ごとに移動させることで消去を行う方法である。
以下では、図８に示すように、走査線４０の延在方向に沿った９個の画素２０と、データ線５０の延在方向に沿った１４個の画素２０とで囲まれた、表示部３０の一部の領域を抜き出して説明する。
【００５７】
図８には、消去領域２０１を移動させることで、表示部３０に表示された画像２００が消去される様子が示されている。図８の表示部３０ではマトリクス状に画素２０が配置されており、これらの画素２０は、Ｘ軸方向に延在し、−Ｙ軸方向に順に配置された図９の走査線４０ａ、４０ｂ、…、４０ｎと接続されているとする。ここで選択した走査線４０は、図１のＹ１、Ｙ２、…、Ｙ１４に対応する。
なお、消去領域２０１は、走査線４０ａから走査線４０ｎまで一列ずつ移動するが、図８では、２列ずつ移動した図を順に示している。
【００５８】
図９には、第１のシフトレジスタ回路６１、第２のシフトレジスタ回路６２に入力されるクロック信号線ＣＬＫＡ、ＣＬＫＢ、データ線５０、走査線４０ａ、４０ｂ、…、４０ｎ、及び共通電極２２に入力される電位が示されている。
クロック信号線ＣＬＫＡ、ＣＬＫＢには、高電位（Ｈ）と低電位（Ｌ）とを繰り返すパルスが入力され、第１のシフトレジスタ回路６１、第２のシフトレジスタ回路６２が駆動されている。ＣＬＫＡ、ＣＬＫＢに入力されるパルスの高電位（Ｈ）及び低電位（Ｌ）の期間は、白表示と黒表示における白色粒子８２、黒色粒子８３にかかる負荷を均等にするために、等しくなるように設定されていることが好ましい。
【００５９】
データ線５０にも、高電位（Ｈ）及び低電位（Ｌ）を繰り返すパルスが入力されている。図１及び図２で説明したように、このパルスは全選択回路７４において、全選択信号線ＳＨを高電位（Ｈ１）に固定した状態で、全選択信号線ＳＬに高電位（Ｈ１）と低電位（Ｌ１）とを繰り返すパルスを入力することで形成することができる。
また、全選択信号線ＳＨ、ＳＬはすべての全選択回路７４に共通の配線であるので、すべてのデータ線５０に同じパルスが入力される。データ線５０に入力されるパルスの周期は、前述したクロック信号線ＣＬＫＡ、ＣＬＫＢに入力されるクロックパルスの周期の１／２である。すなわち、ＣＬＫＡ、ＣＬＫＢが高電位（Ｈ）期間中に、データ線５０の電位が高電位（Ｈ）及び低電位（Ｌ）の期間を有し、ＣＬＫＡ、ＣＬＫＢが低電位（Ｌ）期間中にも、データ線５０の電位が高電位（Ｈ）及び低電位（Ｌ）の期間を有する。
【００６０】
共通電極２２には、同じく高電位（Ｈ）及び低電位（Ｌ）を繰り返すパルスが入力されるが、このパルスの周期は、データ線５０に入力されるパルスの周期より短く設定されている。図９では、一例として共通電極２２に入力されるパルスの周期を、データ線５０に入力されるパルスの周期の１／４として表示している。このような条件の下で、消去動作が行われる。
【００６１】
本駆動方法により表示部３０に表示された画像２００を消去するには、まず図８（ａ）、（ｂ）に示すように、画像２００が表示された表示部３０を一度全面白消去（全面を白表示）する。この全面白消去は、従来から知られている方法で行えばよい。
【００６２】
次に、帯状の消去領域による走査を行う。
まず、第１のシフトレジスタ回路６１、及び第２のシフトレジスタ回路６２のそれぞれにクロックパルスを入力し走査線駆動回路６０を駆動する。この状態で第１のシフトレジスタ回路６１にスタートパルスを入力し、１行目の走査線４０ａに第１の選択信号を入力する。第１の選択信号は、クロック信号線ＣＬＫＡが立ち上がっている（高電位（Ｈ）が入力されている）期間の前半部、すなわちデータ線５０に高電位（Ｈ）が入力されている期間に入力される。これにより、走査線４０ａに属する一群の画素２０とそれらに対応するデータ線５０とが接続されて、各画素の画素電極２１に高電位（Ｈ）が入力される。したがって、共通電極２２に低電位（Ｌ）が入力される期間に、画素電極２１及び共通電極２２の間に電位差が発生し、走査線４０ａに属する画素２０は黒表示される（図８（ｃ））。
【００６３】
走査線４０ａ〜４０ｎに入力される第１の選択信号は、クロック信号線ＣＬＫＡに入力されるクロックパルスに基づいて、信号線ＣＬＫＡが立ち上がっている（高電位（Ｈ）が入力されている）期間の前半部、及び信号線ＣＬＫＡが立ち下がっている（低電位（Ｌ）が入力されている）期間の前半部に入力される。この選択信号が入力される期間は、データ線５０に高電位（Ｈ）が入力される期間に同期している。したがって、各走査線に第１の選択信号を入力すると、画素電極２１に高電位（Ｈ）が入力され、画素２０が黒表示される。
【００６４】
第１の選択信号は、前述の走査線４０ａに入力された後、クロック信号線ＣＬＫＡの立ち下り、立ち上がりを繰り返すごとに走査線４０ｂ、４０ｃ、…、４０ｎの順で入力される。このようにして、各走査線に属する画素２０を順次黒表示することができる。
このようにして３行目の走査線４０ｃまで黒表示が完了すると、データ線５０の延在方向には３画素分の幅を有する消去領域２０１が形成された状態となる（図８（ｄ））。
【００６５】
次に、表示部３０を消去領域２０１により走査する動作について説明する。消去領域２０１が表示部３０を走査するときには、消去領域２０１の先頭を次の行に移動させる動作（黒表示）と、消去領域２０１が通過した行に対応する画素２０を白表示させる動作とが行われる。
【００６６】
具体的には、消去領域２０１の先頭を進行させる動作は、前述したように、データ線５０に高電位（Ｈ）が入力される期間に合わせて、走査線４０ａ〜４０ｎを順次選択し、選択した走査線に属する画素を黒表示させることで行う。
一方、黒表示された画素２０は、走査線の選択期間が経過した後も黒表示状態を保持するので、消去領域２０１（３画素分の幅の帯）の後方に位置する行の画素２０を選択して白表示させる動作が必要となる。画素２０を白表示させる動作を、次に説明する。
【００６７】
消去領域２０１の後方側となる画素２０を白表示するには、まず、走査線駆動回路６０において、第２のシフトレジスタ回路６２を駆動させる。このとき、第２のシフトレジスタ回路６２にクロック信号線ＣＬＫＢを介して入力されるパルスは、前述のクロック信号線ＣＬＫＡに入力されるパルスと比較して１／４周期遅れたものとなっている。一方、第２のシフトレジスタ回路６２から走査線４０に第２の選択信号を入力するタイミングは、信号線ＣＬＫＢが立ち上がっている（高電位（Ｈ）が入力されている）期間の前半部、及び信号線ＣＬＫＢが立ち下がっている（低電位（Ｌ）が入力されている）期間の前半部である。
これにより、データ線５０に低電位（Ｌ）が入力される期間に同期して走査線４０に第２の選択信号が入力される。そして、選択された走査線４０に属する画素２０の画素電極２１に低電位（Ｌ）が入力され、共通電極２２に高電位（Ｈ）が入力される期間に、画素電極２１と共通電極２２との間に生じる電位差によって電気泳動素子２３が駆動されて画素２０が白表示される。
【００６８】
このようにして、消去領域２０１の先頭を移動させる動作と、消去領域２０１が通過した走査線４０の画素２０を白表示させる動作とを行うことにより、消去領域２０１の先頭を走査線４０ｎまで移動させる。（図８（ｅ）〜図８（ｉ））
【００６９】
第１の選択信号を走査線４０ｎまで入力すると、第１のシフトレジスタ回路６１は、第１の選択信号の入力を終了する。このとき、第２のシフトレジスタ回路６２は、３行後ろの走査線４０ｋに第２の選択信号を入力しており、その後順次走査線４０ｌ〜４０ｎを選択してこれらの走査線に属する画素２０を順に白表示するので、使用者には帯状の消去領域２０１が走査線４０ｎを通過するように見える。（図８（ｊ））
【００７０】
さらに第２の選択信号を最終行の走査線４０ｎに入力すると、第２のシフトレジスタ回路６２も第２の選択信号の入力を停止する。これにより、表示部３０のすべての画素２０は白表示されて、画像消去動作が完了する。（図８（ｋ））
【００７１】
このような駆動方法を備えた電気泳動表示装置１は、以下の効果を得ることができる。
まず、３画素分の幅を有する帯状の消去領域２０１によって表示部３０を走査するので、図８（ｂ）の全面白消去で消しきれない画像を効率良く消去できる。また、画面全体が一度に黒表示又は白表示になることがないので、フラッシングを起こさずに残像のない消去を行うことができる。
【００７２】
消去領域２０１は、データ線５０の延在方向に画素２０の複数個分の幅を有しているので、１本の走査線４０に属する画素列は、消去領域２０１が通過する間は黒表示され、通過後は白表示となるので、電気泳動素子２３内の白色粒子８２、及び黒色粒子８３を確実に撹拌することができる。
本実施形態では、３画素分の幅を有する帯状の消去領域２０１としたが、２画素分の幅の消去領域を形成してもよく、４画素分以上の幅の消去領域としてもよい。消去領域２０１の幅を変更することで、各画素２０における黒表示の保持期間を制御することができ、適切な条件での消去動作が可能になる。
なお、消去領域２０１の幅をあまり広くするとフラッシングと同様の表示の明滅が使用者に見えてしまうおそれがある。この場合には、幅を狭くしたり、走査速度を変更することで使用者に不快感を生じさせないようにすることが好ましい。
【００７３】
また本実施形態では、走査線４０の延在方向に沿って消去領域２０１を形成し、走査線４０を順に選択することで、消去領域２０１を走査させているので、画像表示時と同様の駆動方式で消去動作を行うことができる。
【００７４】
さらに、走査線駆動回路６０に、第１のシフトレジスタ回路６１、第２のシフトレジスタ回路６２、及びＯＲ回路６３を有することで、第１のシフトレジスタ回路６１、及び第２のシフトレジスタ回路６２からそれぞれ異なるタイミングのパルスを出力することができるので、複数の走査線４０を独立に選択することができる。すなわち、データ線５０に高電位（Ｈ）が入力されている期間に、第１のシフトレジスタ回路６１から走査線４０に第１の選択信号を入力し、データ線５０に低電位（Ｌ）が入力されている期間に、第２のシフトレジスタ回路６２から走査線４０に第２の選択信号を入力することで、ほぼ１フレームの期間内に消去領域２０１を走査させることができるので、高速に消去動作を実行することができる。
【００７５】
なお、本実施形態の駆動方法では消去領域２０１を１回だけ走査させているが、複数回走査させてもよい。
これにより、表示部３０に形成される消去領域２０１の幅を狭くしても、白色粒子８２、及び黒色粒子８３を撹拌する回数を増やすことができるので、残像を残さない消去を行うことができる。
【００７６】
なお、本駆動方法では、共通電極２２にパルス状の信号を入力することで画像消去を行っているが、例えば低電位（Ｌ）と高電位（Ｈ）との中間の電位である中電位（Ｍ）で固定された信号を共通電極２２に入力する駆動方法を採用することができる。図１０は、共通電極２２に中電位（Ｍ）を入力した場合のタイミングチャートを示す図である。図１０のタイミングチャートは、図９と比較すると、共通電極２２に中電位（Ｍ）が入力されている以外に変更箇所はなく、このような駆動方法を容易に行うことができる。
【００７７】
このように動作させると、画素電極２１と共通電極２２との間には、白表示と黒表示とを同時に行う電位差が常に生じるので、消去領域２０１の表示時間の短縮、及び消去領域２０１の走査時間の短縮に効果的である。
【００７８】
［第２の駆動方法］
次に、第２の駆動方法について説明する。
図１１は、第２の駆動方法に係る画像消去動作を示す図である。図１２は、第２の駆動方法による画像消去動作に係るタイミングチャート図である。
第２の駆動方法は、表示部３０を複数の画素２０に相当する２つの消去領域２１１、２１２が走査することで画像消去動作を行う方法である。なお、第２の実施形態においても、走査線４０の延在方向に沿った９個の画素２０と、データ線５０の延在方向に沿った１４個の画素２０とで囲まれた、表示部３０の一部の領域を抜き出して説明する。
【００７９】
図１２には、図９と同様に、第１のシフトレジスタ回路６１、第２のシフトレジスタ回路６２に入力されるクロック信号線ＣＬＫＡ、ＣＬＫＢ、データ線５０、走査線４０ａ、４０ｂ、…、４０ｎ、及び共通電極２２に入力される電位が示されている。クロック信号線ＣＬＫＡ、ＣＬＫＢ、及びデータ線５０に入力される電位は、第１の駆動方法と同様である。
【００８０】
以下、第２の駆動方法により表示部３０に表示された画像２００を消去する場合について説明するが、第１の駆動方法と重複する部分の説明は適宜省略することとする。
【００８１】
本駆動方法により表示部３０に表示された画像２００を消去するには、まず図１１（ａ），（ｂ）に示すように、画像２００が表示された表示部３０を一度全面白消去（全面を白表示）する。この全面白消去は、従来から知られている方法で行えばよい。
【００８２】
次に、帯状の消去領域による走査を行う。
まず、第１の駆動方法と同様に走査線駆動回路６０及びデータ線駆動回路７０を駆動して、各走査線に属する一群の画素２０を順次黒表示することで、３画素分の幅を有する消去領域２１１を形成する（図１１（ｃ）、（ｄ））。
続いて、形成された消去領域２１１をデータ線５０の延在方向に沿って移動させる（図１１（ｅ））。
そして、消去領域２１１の先頭が７行目の走査線４０ｇに到達すると、１行目の走査線４０ａにおいて次の消去領域２１２の形成が開始される。（図１１（ｆ））。
消去領域２１２の形成が開始されるとき、第１のシフトレジスタ回路６１にスタートパルスが再び入力される。したがって、先頭の消去領域２１１が走査線４０ｎに達するまで、第１のシフトレジスタ回路６１は、２本の走査線４０に対して同時に第１の選択信号を入力することになる。
【００８３】
その後、さらに走査線の選択動作を進行させ、消去領域２１１を移動させつつ消去領域２１２を形成すると、３画素分の幅を有する帯状の消去領域２１２が表示部３０の上辺端（＋Ｙ側端）に形成される。（図１１（ｇ））
消去領域２１２が形成された後、消去領域２１２の後方となる行の画素を白表示するために、第２のシフトレジスタ回路６２にはスタートパルスが再び入力される。つまり、第２のシフトレジスタ回路６２も、一定期間、２本の走査線４０に対して同時に第２の選択信号を入力することになる。（図１１（ｈ）、（ｉ））
【００８４】
このようにして形成された消去領域２１１、２１２は、走査線４０ｎ側に向かい一行ずつ移動する。
そして、先頭の消去領域２１１が走査線４０ｎまで達すると、第１のシフトレジスタ回路６１は消去領域２１１に係る第１の選択信号の入力を終了する。その後、消去領域２１１の後方の白表示領域が走査線４０ｎに向かって移動し、帯状の消去領域２１１は表示部３０を通過する。（図１１（ｊ）、（ｋ））
【００８５】
消去領域２１１の走査が終了した後、消去領域２１１と連動して移動する消去領域２１２が走査線４０ｎまで達すると、消去領域２１２にかかる第１の選択信号の入力が終了し、その後は第２の選択信号の入力による白表示のみが実行される。そして、消去領域２１２が通過した走査線４０ｎの画素２０が白表示されることで、消去領域２１２は走査線４０ｎを通過する。以上で、画像消去ステップを完了する。（図１１（ｌ）〜図１１（ｎ））
【００８６】
この第２の駆動方法を用いて画像を消去すれば、各画素において黒表示と白表示との切り替えが２回ずつ発生するので、第１の駆動方法に比して白色粒子８２、及び黒色粒子８３を撹拌する回数を増やすことができる。したがって、さらに残像の残りにくい消去を行うことができる。またこの駆動方法においても、表示部全体が一度に黒表示されることがないので、フラッシングを起こさずに消去動作を行うことができる。
【００８７】
また本駆動方法においても消去領域２１１、及び消去領域２１２を、１回だけ走査させているが、複数回走査させてもよい。
これにより、白色粒子８２、及び黒色粒子８３を撹拌する回数をさらに増やすことができるので、より残像を残さない消去を行うことができる。
【００８８】
また本駆動方法では、２つの消去領域２１１，２１２の幅をいずれも３画素分としたが、消去領域２１１，２１２の幅はこれに限定されない。また、消去領域２１１の幅と消去領域２１２の幅を異ならせることもできる。例えば、消去領域２１１を４画素分の幅とし、消去領域２１２を２画素分の幅としてもよい。
さらに、消去領域２１１，２１２の間隔を３画素分としているが、これに限定されず、任意の間隔をもって消去領域２１１，２１２を配置することができる。
【００８９】
なお、本駆動方法においても、共通電極２２にパルス状の信号を入力することで画像消去を行っているが、図１０で示したような、中電位（Ｍ）に固定された信号が入力された駆動方法を採用することができる。
このように動作させると、画素電極２１と共通電極２２との間には、白表示と黒表示とを同時に行う電位差が常に生じるので、消去領域２１１、２１２の表示時間の短縮、及び消去領域２１１、２１２の走査時間の短縮に効果的である。
【００９０】
［第３の駆動方法］
次に、第３の駆動方法について説明する。
図１３は、第３の駆動方法に係る画像消去動作を示す図である。図１４は、第３の駆動方法による画像消去動作に係るタイミングチャート図である。
第３の駆動方法は、表示部３０を複数の画素２０分に相当する３つの消去領域２２１、２２２、２２３が走査することで画像消去動作を行う方法である。なお、第３の実施形態においても、走査線４０の延在方向に沿った９個の画素２０と、データ線５０の延在方向に沿った１４個の画素２０とで囲まれた、表示部３０の一部の領域を抜き出して説明する。
【００９１】
図１４には、図９と同様に、第１のシフトレジスタ回路６１、第２のシフトレジスタ回路６２に入力されるクロック信号線ＣＬＫＡ、ＣＬＫＢ、データ線５０、走査線４０ａ、４０ｂ、…、４０ｎ、及び共通電極２２に入力される電位が示されている。クロック信号線ＣＬＫＡ、ＣＬＫＢ、及びデータ線５０に入力される電位は、第１の駆動方法と同様である。
【００９２】
以下、第３の駆動方法により表示部３０に表示された画像２００を消去する場合ついて説明するが、第１の駆動方法と重複する部分の説明は適宜省略することとする。
【００９３】
本駆動方法により表示部３０に表示された画像２００を消去するには、まず図１３（ａ），（ｂ）に示すように、画像２００が表示された表示部３０を一度全面白消去（全面を白表示）する。この全面白消去は、従来から知られている方法で行えばよい。
【００９４】
次に、帯状の消去領域による走査を行う。
まず、第１の駆動方法と同様に走査線駆動回路６０及びデータ線駆動回路７０を駆動して、各走査線に属する一群の画素２０を順次黒表示することで、３画素分の幅を有する消去領域２２１を形成する（図１３（ｃ）、（ｄ））。
続いて、形成された消去領域２２１をデータ線５０の延在方向に沿って移動させる（図１３（ｅ））。
そして、消去領域２２１の先頭が７行目の走査線４０ｇに到達すると、１行目の走査線４０ａにおいて次の消去領域２２２の形成が開始される（図１３（ｆ））。
消去領域２２２の形成が開始されるとき、第１のシフトレジスタ回路６１にスタートパルスが再び入力されて、第１のシフトレジスタ回路６１は、２本の走査線４０に対して同時に第１の選択信号を入力することになる。
その後、さらに走査線の選択動作を進行させ、消去領域２２１を移動させつつ消去領域２２２を形成すると、３画素分の幅を有する帯状の消去領域２２２が表示部３０の上辺端（＋Ｙ側端）に形成される（図１３（ｇ））。
【００９５】
その後、消去領域２２１の先頭が１３行目の走査線４０ｍに到達すると、１行目の走査線４０ａにおいて次の消去領域２２３の形成が開始される（図１３（ｈ），（ｉ））。
消去領域２２３の形成が開始されるとき、第１のシフトレジスタ回路６１にスタートパルスが再び入力されて、第１のシフトレジスタ回路６１は、３本の走査線４０に対して同時に第１の選択信号を入力することになる。
【００９６】
そして、先頭の消去領域２２１が走査線４０ｎまで達すると、第１のシフトレジスタ回路６１は消去領域２２１に係る第１の選択信号の入力を終了する。その後、消去領域２１１の後方の白表示領域が走査線４０ｎに向かって移動し、帯状の消去領域２１１は表示部３０を通過する（図１３（ｊ）、（ｋ））。
【００９７】
消去領域２２３が形成された後、消去領域２２３の後方となる行の画素を白表示するために、第２のシフトレジスタ回路６２にはスタートパルスが再び入力される。つまり、第２のシフトレジスタ回路６２も、一定期間、３本の走査線４０に対して同時に第２の選択信号を入力することになる。
【００９８】
消去領域２２１の走査が終了した後、消去領域２２１と連動して移動する消去領域２２２が走査線４０ｎまで達すると、消去領域２２２に係る第１の選択信号の入力が終了し、第２の選択信号の入力による白表示が行われる。そして、消去領域２２２と連動して移動する消去領域２２３が走査線４０ｎまで達すると、消去領域２２３に係る第１の選択信号の入力が終了し、第２の選択信号の入力による白表示のみが実行される（図１３（ｌ）〜図１３（ｏ））。さらに、消去領域２２３が通過した走査線４０ｎの画素２０が白表示されることで、消去領域２２３は走査線４０ｎを通過する。以上で、画像消去ステップを完了する（図１３（ｐ）〜図１３（ｑ））。
【００９９】
この第３の駆動方法を用いて画像を消去すれば、各画素において黒表示と白表示との切り替えが３回ずつ発生するので、第１、第２の駆動方法に比して白色粒子８２、及び黒色粒子８３を撹拌する回数を増やすことができる。したがって、さらに残像の残りにくい消去を行うことができる。またこの駆動方法においても、表示部全体が一度に黒表示されることがないので、フラッシングを起こさずに消去動作を行うことができる。
【０１００】
また本駆動方法においても消去領域２２１、２２２、２２３を、１回だけ走査させているが、複数回走査させてもよい。また、消去領域の本数を４本以上に増やすこともできる。これにより、白色粒子８２、及び黒色粒子８３を撹拌する回数をさらに増やすことができるので、より残像を残さない消去を行うことができる。
【０１０１】
また本駆動方法では、３つの消去領域２２１，２２２，２２３の幅をいずれも３画素分としたが、消去領域２２１，２２２，２２３の幅はこれに限定されない。また、消去領域２２１の幅、消去領域２２２の幅、及び消去領域２２３の幅を異ならせることもできる。例えば、消去領域２２１を４画素分の幅、消去領域２２２を２画素分の幅、消去領域２２３を３画素分の幅としてもよい。
さらに、消去領域２２１，２２２，２２３の間隔を３画素分としているが、これに限定されず、任意の間隔をもって消去領域２２１，２２２，２２３を配置することができる。
【０１０２】
なお、本駆動方法においても、共通電極２２にパルス状の信号を入力することで画像消去を行っているが、図１０で示したような、中電位（Ｍ）に固定された信号が入力された駆動方法を採用することができる。
このように動作させると、画素電極２１と共通電極２２との間には、白表示と黒表示とを同時に行う電位差が常に生じるので、消去領域２２１，２２２，２２３の表示時間の短縮、及び消去領域２２１，２２２，２２３の走査時間の短縮に効果的である。
【０１０３】
［第４の駆動方法］
次に、第４の駆動方法について説明する。
図１５は、第４の駆動方法に係る画像消去動作を示す図である。図１６は、第４の駆動方法による画像消去動作に係るタイミングチャート図である。
第４の駆動方法は、第１の駆動方法における３つの画素分の幅を有する消去領域２０１の中央を白線に変えることで形成された２つの消去領域２３１、２３２が、表示部３０を走査することで画像消去動作を行う方法である。なお、第４の実施形態においても、走査線４０の延在方向に沿った９個の画素２０と、データ線５０の延在方向に沿った１４個の画素２０とで囲まれた、表示部３０の一部の領域を抜き出して説明する。
【０１０４】
図１６には、図９と同様に、第１のシフトレジスタ回路６１、第２のシフトレジスタ回路６２に入力されるクロック信号線ＣＬＫＡ、ＣＬＫＢ、データ線５０、走査線４０ａ、４０ｂ、…、４０ｎ、及び共通電極２２に入力される電位が示されている。クロック信号線ＣＬＫＡ、ＣＬＫＢ、及びデータ線５０に入力される電位は、第１の駆動方法と同様である。
【０１０５】
以下、第４の駆動方法により表示部３０に表示された画像２００を消去する場合について説明するが、第１の駆動方法と重複する部分の説明は適宜省略することとする。
【０１０６】
本駆動方法により表示部３０に表示された画像２００を消去するには、まず図１５（ａ），（ｂ）に示すように、画像２００が表示された表示部３０を一度全面白消去（全面を白表示）する。この全面白消去は、従来から知られている方法で行えばよい。
【０１０７】
次に、帯状の消去領域による走査を行う。
まず、第１の駆動方法と同様に走査線駆動回路６０及びデータ線駆動回路７０を駆動して、走査線４０ａに属する一群の画素２０を黒表示することで、１画素分の幅を有する消去領域２３１を形成する（図１５（ｃ））。続いて、形成された消去領域２１１をデータ線５０の延在方向に沿って移動させる。
そして、消去領域２１１の先頭が３行目の走査線４０ｃに到達すると、１行目の走査線４０ａにおいて次の消去領域２３２が形成される（図１５（ｄ））。
消去領域２３２が形成されるとき、第１のシフトレジスタ回路６１にスタートパルスが再び入力される。したがって、先頭の消去領域２３１が走査線４０ｎに達するまで、第１のシフトレジスタ回路６１は、２本の走査線４０に対して同時に第１の選択信号を入力することになる。
【０１０８】
消去領域２３２が形成された後、消去領域２３２の後方となる行の画素を白表示するために、第２のシフトレジスタ回路６２にはスタートパルスが再び入力される。つまり、第２のシフトレジスタ回路６２も、一定期間、２本の走査線４０に対して同時に第２の選択信号を入力することになる。
【０１０９】
このようにして形成された消去領域２３１、２３２は、走査線４０ｎ側に向かい一行ずつ移動する。
そして、先頭の消去領域２３１が走査線４０ｎまで達すると、第１のシフトレジスタ回路６１は消去領域２３１に係る第１の選択信号の入力を終了する。その後、消去領域２３１の後方の白表示領域が走査線４０ｎに向かって移動し、帯状の消去領域２３１は表示部３０を通過する（図１５（ｅ）〜図１５（ｉ））。
【０１１０】
消去領域２３１の走査が終了した後、消去領域２３１と連動して移動する消去領域２３２が走査線４０ｎまで達すると、消去領域２３２にかかる第１の選択信号の入力が終了し、その後は第２の選択信号の入力による白表示のみが実行される。そして、消去領域２３２が通過した走査線４０ｎの画素２０が白表示されることで、消去領域２３２は走査線４０ｎを通過する。以上で、画像消去ステップを完了する（図１１（ｋ））。
【０１１１】
この第４の駆動方法を用いて画像を消去すれば、第１の駆動方法の消去領域２０１と同じ幅で、黒表示と白表示との切り替えが２回ずつ発生するので、第１の駆動方法に比して白色粒子８２、及び黒色粒子８３を撹拌する回数を増やすことができる。したがって、さらに残像の残りにくい消去を行うことができる。またこの駆動方法においても、表示部全体が一度に黒表示されることがないので、フラッシングを起こさずに消去動作を行うことができる。
【０１１２】
また本駆動方法においても消去領域２３１、及び消去領域２３２を、１回だけ走査させているが、複数回走査させてもよい。また、消去領域の本数をさらに増やしてもよく、場合によっては黒表示行と白表示行とが交互に表示部全面にわたって形成されるように多数の消去領域を走査してもよい。このような消去方法としても、黒と白が混色されて灰色に見えるのでフラッシングが生じることはない。
これにより、白色粒子８２、及び黒色粒子８３を撹拌する回数をさらに増やすことができるので、より残像を残さない消去を行うことができる。
【０１１３】
また本駆動方法では、２つの消去領域２３１，２３２の幅をいずれも１画素分としたが、第１の駆動方法の消去領域２０１の幅を広げることで、消去領域２３１，２３２の幅はこれに限定されない。また、消去領域２３１の幅と消去領域２３２の幅を異ならせることもできる。例えば、消去領域２３１を２画素分の幅とし、消去領域２３２を１画素分の幅としてもよい。
さらに、消去領域２３１，２３２の間隔を１画素分としているが、これに限定されず、任意の間隔をもって消去領域２３１，２３２を配置することができる。
【０１１４】
なお、本駆動方法においても、共通電極２２にパルス状の信号を入力することで画像消去を行っているが、図１０で示したような、中電位（Ｍ）に固定された信号が入力された駆動方法を採用することができる。
このように動作させると、画素電極２１と共通電極２２との間には、白表示と黒表示とを同時に行う電位差が常に生じるので、消去領域２３１、２３２の表示時間の短縮、及び消去領域２３１、２３２の走査時間の短縮に効果的である。
【０１１５】
［電子機器］
ここでは本発明の電気泳動表示装置を、電子機器に適用した場合について説明する。図１７は電子ペーパー３００の構成を示す斜視図である。電子ペーパー３００は、本発明の電気泳動表示装置を表示領域３０１として備えている。電子ペーパー３００は可撓性を有し、従来の紙と同様の質感及び柔軟性を有する書き換え可能なシートからなる本体３０２を備えて構成されている。
【０１１６】
また、図１８は、電子ノート４００の構成を示す斜視図である。電子ノート４００は、図１７で示した電子ペーパー３００が複数枚束ねられ、カバー４０１に挟まれているものである。カバー４０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１１７】
電子ペーパー３００、及び電子ノート４００に本発明の電気泳動表示装置を備えることで、フラッシングを起こさずに残像を残さない消去を行う電子ペーパー３００、及び電子ノート４００とすることができる。
【０１１８】
これらの他に、時計、携帯電話、携帯用オーディオ機器などの電子機器の表示領域に、本発明の電気泳動表示装置を採用することができる。
これにより、フラッシングを起こさずに残像を残さない消去を行う電子機器とすることができる。
【図面の簡単な説明】
【０１１９】
【図１】電気泳動表示装置１の平面図である。
【図２】全選択回路７４の真理値を示す図である。
【図３】画素２０の回路構成図である。
【図４】画素１２０の回路構成図である。
【図５】表示部３０の部分断面図である。
【図６】マイクロカプセル８０の構成図である。
【図７】マイクロカプセル８０の動作説明図である。
【図８】第１の駆動方法に係る画像消去動作を示す図である。
【図９】第１の駆動方法に係るタイミングチャートを示す図である。
【図１０】第１の駆動方法に係る別のタイミングチャートを示す図である。
【図１１】第２の駆動方法に係る画像消去動作を示す図である。
【図１２】第２の駆動方法に係るタイミングチャートを示す図である。
【図１３】第３の駆動方法に係る画像消去動作を示す図である。
【図１４】第３の駆動方法に係るタイミングチャートを示す図である。
【図１５】第４の駆動方法に係る画像消去動作を示す図である。
【図１６】第４の駆動方法に係るタイミングチャートを示す図である。
【図１７】電子ペーパー３００の斜視図である。
【図１８】電子ノート４００の斜視図である。
【図１９】従来の電気泳動表示装置における残像の発生を説明する図である。
【符号の説明】
【０１２０】
１…電気泳動表示装置、２０…画素、２１…画素電極（電極）、２２…共通電極（電極）、２３…電気泳動素子、２４…スイッチング素子、２５…容量、３０…表示部、４０（４０ａ、４０ｂ、…、４０ｎ）…走査線、５０…データ線、６０…走査線駆動回路（走査線駆動装置）、６１…第１のシフトレジスタ回路、６２…第２のシフトレジスタ回路、６３…ＯＲ回路、７０…データ線駆動回路、７４…全選択回路、７４ａ…インバータ回路、７４ｂ…ＮＯＲ回路、７４ｃ…ＮＯＲ回路、８０…マイクロカプセル、８２…白色粒子（電気泳動粒子）、８３…黒色粒子（電気泳動粒子）、１２０…画素、１２５…ラッチ回路、１５７…低電位電源線、１５８…高電位電源線、２００…画像、２０１、２１１、２１２、２２１、２２２、２２３、２３１、２３２…消去領域、ＳＨ、ＳＬ…全選択信号線、ＣＬＫＡ、ＣＬＫＢ…クロック信号線
【図１】
0005417695.tif 000002
【図２】
0005417695.tif 000003
【図３】
0005417695.tif 000004
【図４】
0005417695.tif 000005
【図５】
0005417695.tif 000006
【図６】
0005417695.tif 000007
【図７】
0005417695.tif 000008
【図８】
0005417695.tif 000009
【図９】
0005417695.tif 000010
【図１０】
0005417695.tif 000011
【図１１】
0005417695.tif 000012
【図１２】
0005417695.tif 000013
【図１３】
0005417695.tif 000014
【図１４】
0005417695.tif 000015
【図１５】
0005417695.tif 000016
【図１６】
0005417695.tif 000017
【図１７】
0005417695.tif 000018
【図１８】
0005417695.tif 000019
【図１９】
0005417695.tif 000020